(57)【特許請求の範囲】
【請求項１】
光源装置と、前記光源装置から射出された光束を画像情報に応じて変調して画像光を形成する光変調装置と、前記画像光を拡大投射する投射光学装置と、外装を構成する外装筐体とを備えたプロジェクタであって、
前記外装筐体の天面部には、前記投射光学装置から拡大投射された画像光を通過させるための光束通過用開口部が形成され、
前記投射光学装置は、前記画像光を前記天面部側に反射し、前記光束通過用開口部を介して拡大投射する非球面ミラーを備え、
前記外装筐体には、
前記光束通過用開口部を閉塞する透光性部材と、
前記天面部外面に係合し、前記天面部外面上で前記透光性部材を覆う閉塞位置、および前記透光性部材を露出させる非閉塞位置の間を移動する保護カバーとが設けられ、
前記透光性部材は、前記画像光の投射方向側の高さ位置が前記投射方向と反対側の高さ位置よりも低くなるように傾斜して配設され、
前記天面部には、前記保護カバーが取り付けられるカバー取付部が設けられ、
前記カバー取付部は、
前記天面部における前記カバー取付部を除く他の部位よりも高さ位置の高い膨出面部と、
前記投射方向側の高さ位置が前記投射方向と反対側の高さ位置よりも低くなるように傾斜し、前記膨出面部における前記画像光の投射方向側の端部、および前記他の部位を接続する傾斜面部と、
前記膨出面部および前記傾斜面部における前記投射方向に沿う端部から起立し、前記他の部位に接続する接続部とを備え、
前記光束通過用開口部は、前記傾斜面部に形成され、
前記保護カバーは、前記接続部に係合し、前記投射方向側に移動することで前記閉塞位置に位置付けられ、前記投射方向と反対側に移動することで前記非閉塞位置に位置付けられる
ことを特徴とするプロジェクタ。
【請求項２】
請求項１に記載のプロジェクタにおいて、
前記保護カバーは、
板状のカバー本体と、
前記カバー本体における前記投射方向に沿う端部から起立し、前記接続部に当接する起立片とを備え、
前記起立片には、前記接続部に向けて突出し、前記投射方向側から順に第１係合ピンおよび第２係合ピンが形成され、
前記接続部には、
前記各係合ピンをそれぞれ挿通して前記各係合ピンの移動を案内する第１長孔および第２長孔が形成され、
前記第１長孔は、前記投射方向側の終端の高さ位置が前記投射方向と反対側の終端の高さ位置よりも低く設定され、
前記第２長孔は、前記投射方向側の終端の高さ位置と前記投射方向と反対側の終端の高さ位置とが同一に設定されている
ことを特徴とするプロジェクタ。
【請求項３】
請求項２に記載のプロジェクタにおいて、
前記膨出面部および前記傾斜面部は、平坦状に形成され、
前記第１長孔は、前記傾斜面部に平行する直線状に形成され、
前記第２長孔は、前記膨出面部に平行する直線状に形成されている
ことを特徴とするプロジェクタ。
【請求項４】
請求項２または請求項３に記載のプロジェクタにおいて、
前記接続部には、
前記各係合ピンのうち少なくともいずれか一方の係合ピンが前記長孔における前記投射方向側の終端に位置した際に、前記一方の係合ピンを前記投射方向側に付勢して前記一方の係合ピンの前記投射方向とは反対側への移動を規制する第１付勢部と、
前記一方の係合ピンが前記長孔における前記投射方向とは反対側の終端に位置した際に、前記一方の係合ピンを前記投射方向とは反対側に付勢して前記一方の係合ピンの前記投射方向側への移動を規制する第２付勢部とが設けられている
ことを特徴とするプロジェクタ。
【請求項５】
請求項１から請求項４のいずれかに記載のプロジェクタにおいて、
前記天面部には、前記投射方向に沿って延びる凹条部が形成され、
前記接続部は、前記凹条部の側壁部分を構成している
ことを特徴とするプロジェクタ。
【請求項６】
請求項１から請求項５のいずれかに記載のプロジェクタにおいて、
前記カバー本体は、前記膨出面部および前記傾斜面部に倣うように屈曲形成されている
ことを特徴とするプロジェクタ。
【発明の詳細な説明】
【技術分野】
【０００１】
本発明は、プロジェクタに関する。
【背景技術】
【０００２】
従来、フロント投射型のプロジェクタとして、プロジェクタの設置の自由度を向上させるために、投射距離を短くさせた短焦点の投射光学装置を採用した構成が知られている（例えば、特許文献１参照）。
特許文献１に記載のプロジェクタにおいて、投射光学装置は、光路最後段に、回転対称でない自由曲面形状の反射面を有する非球面ミラーを備えている。そして、非球面ミラーにて画像光を反射させることで、外装筐体の天面部に設けられた光束通過用開口部を介して、画像光を広角化させている。このような構成により、スクリーンが設置される壁面に近接した位置にプロジェクタを設置することが可能となり、プロジェクタの設置の自由度を向上させている。
【０００３】
【特許文献１】特開２００７−３３４０５２号公報
【発明の開示】
【発明が解決しようとする課題】
【０００４】
しかしながら、特許文献１に記載のプロジェクタでは、光束通過用開口部を介して非球面ミラーが剥き出しの状態となっているため、非球面ミラーへの塵埃の付着、非球面ミラーが手で触られることによる汚れ、あるいは、非球面ミラーが手で触られる等による衝撃によって、投影画像を鮮明な状態で良好に維持することが難しい、という問題がある。
【０００５】
本発明の目的は、投影画像を鮮明な状態で良好に維持できるプロジェクタを提供することにある。
【課題を解決するための手段】
【０００６】
本発明のプロジェクタは、光源装置と、前記光源装置から射出された光束を画像情報に応じて変調して画像光を形成する光変調装置と、前記画像光を拡大投射する投射光学装置と、外装を構成する外装筐体とを備えたプロジェクタであって、前記外装筐体の天面部には、前記投射光学装置から拡大投射された画像光を通過させるための光束通過用開口部が形成され、前記投射光学装置は、前記画像光を前記天面部側に反射し、前記光束通過用開口部を介して拡大投射する非球面ミラーを備え、前記外装筐体には、前記光束通過用開口部を閉塞する透光性部材と、前記天面部外面に係合し、前記天面部外面上で前記透光性部材を覆う閉塞位置、および前記透光性部材を露出させる非閉塞位置の間を移動する保護カバーとが設けられ、前記透光性部材は、前記画像光の投射方向側の高さ位置が前記投射方向と反対側の高さ位置よりも低くなるように傾斜して配設され、前記天面部には、前記保護カバーが取り付けられるカバー取付部が設けられ、前記カバー取付部は、前記天面部における前記カバー取付部を除く他の部位よりも高さ位置の高い膨出面部と、前記投射方向側の高さ位置が前記投射方向と反対側の高さ位置よりも低くなるように傾斜し、前記膨出面部における前記画像光の投射方向側の端部、および前記他の部位を接続する傾斜面部と、前記膨出面部および前記傾斜面部における前記投射方向に沿う端部から起立し、前記他の部位に接続する接続部とを備え、前記光束通過用開口部は、前記傾斜面部に形成され、前記保護カバーは、前記接続部に係合し、前記投射方向側に移動することで前記閉塞位置に位置付けられ、前記投射方向と反対側に移動することで前記非閉塞位置に位置付けられることを特徴とする。
【０００７】
本発明では、外装筐体における天面部には、透光性部材が取り付けられているので、光束通過用開口部を介して非球面ミラーにて反射された画像光を通過させつつ、光束通過用開口部を透光性部材にて閉塞できる。このため、非球面ミラーへの塵埃の付着、汚れ、あるいは、衝撃を回避でき、投影画像を鮮明な状態で良好に維持できる。
また、天面部には、保護カバーが取り付けられているので、プロジェクタの非使用時には、保護カバーを非閉塞位置に位置付けることで、透光性部材を保護カバーにて覆うことができる。すなわち、保護カバーにより、透光性部材への塵埃の付着、汚れ、あるいは、衝撃を回避できるため、透光性部材による非球面ミラーの保護とともに、投影画像を鮮明な状態で良好に維持できる。
【０００８】
ところで、例えば、透光性部材を水平面に平行となるように配設した場合には、非球面ミラーにて反射された画像光が透光性部材に入射する入射角が大きいものとなる。特に、画像光の外縁側での入射角が大きいものとなる。このように透光性部材への画像光の入射角が大きい場合には、透光性部材での屈折の影響により、投影画像の歪みや画質劣化を引き起こしてしまう。
本発明では、透光性部材は、投射方向側（以下、前面側）の高さ位置が投射方向と反対側（以下、背面側）の高さ位置よりも低くなるように傾斜して配設されている。すなわち、透光性部材が水平面に対して非球面ミラーの反射面に対向するように傾斜して配設されている。このことにより、透光性部材を水平面に平行となるように配設した場合と比較して、透光性部材への画像光の入射角を小さくでき、透光性部材での屈折の影響を抑制できる。このため、投影画像の歪みや画質劣化を抑制し、投影画像を鮮明な状態で良好に維持できる。
【００１０】
さらに、本発明では、天面部に設けられるカバー取付部は、膨出面部と、傾斜面部と、接続部とを備える。そして、傾斜面部は、前面側の高さ位置が背面側の高さ位置よりも低くなるように傾斜しているとともに、光束通過用開口部が形成されている。このことにより、透光性部材を傾斜面部に当接するだけで、透光性部材を傾斜して配設でき、透光性部材の設置を容易とする。
また、光束通過用開口部は、傾斜面部に形成されているので、開口面が水平面に対して非球面ミラーの反射面に対向するように傾斜することとなる。このため、例えば、光束通過用開口部を水平面に沿うように形成した場合と比較して、非球面ミラー側から見た際での光束通過用開口部の見かけ上の開口面積を大きくすることができる。したがって、非球面ミラーにて反射された画像光を通過させるために光束通過用開口部を必要以上に大きく形成する必要がなく、プロジェクタの外観を好ましいものとすることができる。
さらに、保護カバーに係合する接続部は、膨出面部および傾斜面部から起立し、天面部におけるカバー取付部を除く他の部位に接続する。すなわち、接続部は、光束通過用開口部の開口面よりも外装筐体の内部側に形成されている。このことにより、非球面ミラーにて反射され光束通過用開口部を介して投射された画像光が接続部にて遮られることを防止でき、投影画像を良好に維持できる。
【００１１】
本発明のプロジェクタでは、前記保護カバーは、板状のカバー本体と、前記カバー本体における前記投射方向に沿う端部から起立し、前記接続部に当接する起立片とを備え、前記起立片には、前記接続部に向けて突出し、前記投射方向側から順に第１係合ピンおよび第２係合ピンが形成され、前記接続部には、前記各係合ピンをそれぞれ挿通して前記各係合ピンの移動を案内する第１長孔および第２長孔が形成され、前記第１長孔は、前記投射方向側の終端の高さ位置が前記投射方向と反対側の終端の高さ位置よりも低く設定され、前記第２長孔は、前記投射方向側の終端の高さ位置と前記投射方向と反対側の終端の高さ位置とが同一に設定されていることが好ましい。
【００１２】
本発明では、保護カバーと、カバー取付部における接続部との係合構造として、第１係合ピンおよび第２係合ピンと、第１長孔および第２長孔とが採用されている。
そして、第１長孔は、前面側の終端の高さ位置が背面側の終端の高さ位置よりも低く設定されている。このことにより、保護カバーは、閉塞位置から非閉塞位置に移動する際、第１長孔により第１係合ピンが案内され、前面側の端部が徐々に引き上げられつつ、移動することとなる。このため、保護カバーの移動時において、前面側の端部が膨出面部に機械的に干渉することを防止し、保護カバーを簡単な構成で良好に移動させることができる。
また、第２長孔は、前面側と背面側の各終端の高さ位置が同一に設定されている。このことにより、保護カバーが閉塞位置および非閉塞位置の双方にそれぞれ位置付けられている状態において、保護カバーにおける背面側の端部の高さ位置を同一に設定できる。このため、例えば、保護カバーを閉塞位置に位置付けた状態で、保護カバーにおける背面側の端部とカバー取付部との隙間が最小となるように設計しておけば、保護カバーが非閉塞位置に位置付けられた状態でも、保護カバーにおける背面側の端部とカバー取付部との隙間を最小とすることができる。したがって、プロジェクタの使用時および非使用時において、保護カバーにおける背面側の端部とカバー取付部との隙間が最小となり、プロジェクタの外観を好ましいものとすることができる。
【００１３】
本発明のプロジェクタでは、前記膨出面部および前記傾斜面部は、平坦状に形成され、前記第１長孔は、前記傾斜面部に平行する直線状に形成され、前記第２長孔は、前記膨出面部に平行する直線状に形成されていることが好ましい。
本発明では、第１長孔および第２長孔が上述した形状を有しているので、保護カバーの移動時において、保護カバーにおける背面側の端部の高さ位置を常に同一に設定できる。このため、プロジェクタの使用時および非使用時のみならず、閉塞位置および非閉塞位置の間に保護カバーが位置付けられている状態においても、保護カバーにおける背面側の端部とカバー取付部との隙間を最小とすることができ、プロジェクタの外観をさらに好ましいものとすることができる。
【００１４】
本発明のプロジェクタでは、前記接続部には、前記各係合ピンのうち少なくともいずれか一方の係合ピンが前記長孔における前記投射方向側の終端に位置した際に、前記一方の係合ピンを前記投射方向側に付勢して前記一方の係合ピンの前記投射方向とは反対側への移動を規制する第１付勢部と、前記一方の係合ピンが前記長孔における前記投射方向とは反対側の終端に位置した際に、前記一方の係合ピンを前記投射方向とは反対側に付勢して前記一方の係合ピンの前記投射方向側への移動を規制する第２付勢部とが設けられていることが好ましい。
【００１５】
本発明では、接続部には、第１付勢部および第２付勢部が設けられている。このことにより、保護カバーが閉塞位置に位置付けられた状態では、第１付勢部により、係合ピンが前面側に付勢され背面側への移動が規制される。また、保護カバーが非閉塞位置に位置付けられた状態では、第２付勢部により、係合ピンが背面側に付勢され前面側への移動が規制されることとなる。このため、保護カバーが勝手に移動することを防止できる。また、保護カバーを閉塞位置または非閉塞位置に移動させた際に、各付勢部により保護カバーに微小な振動を与える構成とすれば、利用者に保護カバーの移動状態を認識させることができ、保護カバーを閉塞位置または非閉塞位置に確実に移動させることができる。したがって、プロジェクタの使い勝手を向上できる。
【００１６】
本発明のプロジェクタでは、前記天面部には、前記投射方向に沿って延びる凹条部が形成され、前記接続部は、前記凹条部の側壁部分を構成していることが好ましい。
本発明では、接続部は、天面部に形成された凹条部の側壁部分を構成している。このことにより、凹条部に保護カバーの一部（起立片の先端部分）が挿通された状態で、保護カバーと接続部とが係合することとなるので、保護カバーと接続部との係合構造（各係合ピン、各長孔）が外から見えない状態とすることができる。このため、プロジェクタの外観を良好なものとすることができる。
【００１７】
本発明のプロジェクタでは、前記カバー本体は、前記膨出面部および前記傾斜面部に倣うように屈曲形成されていることが好ましい。
本発明では、カバー本体が上述したように形成されているので、保護カバーの移動時において、保護カバーの裏面が膨出面部に機械的に干渉することを防止し、保護カバーを良好に移動させることができる。
また、例えば、保護カバーを閉塞位置に位置付けた状態において、カバー本体の前面側の部位を傾斜面部に平行するように形成し、カバー本体の背面側の部位を膨出面部に平行するように形成しておく。このように形成すれば、プロジェクタの非使用時において、保護カバーがカバー取付部の形状に倣った形状となるため、プロジェクタの外観を良好なものとすることができる。
また、上記のように形成すれば、保護カバーを非閉塞位置に位置付けた状態において、カバー本体の前面側の部位を膨出面部に平行した状態に設定することも可能となり、プロジェクタの使用時においても、プロジェクタの外観を良好なものとすることができる。さらに、この際、カバー本体の背面側の部位は、膨出面部に対して傾斜した状態となり、カバー本体と膨出面部との段差をなくすことで、プロジェクタの外観をさらに良好なものとすることができる。
【発明を実施するための最良の形態】
【００１８】
以下、本発明の実施の一形態を図面に基づいて説明する。
〔外観構成〕
図１および図２は、プロジェクタ１の概略構成を模式的に示す図である。具体的に、図１は保護カバー６が閉塞位置に位置付けられた状態を上方側から見た斜視図であり、図２は保護カバー６が非閉塞位置に位置付けられた状態を上方側から見た斜視図である。
なお、以下で記載する「上」、「下」は、図１または図２における図面視において、上下に相当するものである。また、以下では、説明の便宜上、投射方向側を前面（図１、図２中、奥側）とし、投射方向と反対側を背面（図１、図２中、手前側）と記載する。
【００１９】
プロジェクタ１は、光源から射出された光束を画像情報に応じて変調して画像光を形成し、形成した画像光をスクリーン（図示略）上に拡大投射する。
なお、本実施形態のプロジェクタ１は、具体的には後述するが、画像光を天面部分から前面上方側に向けて拡大投射するものである。
このプロジェクタ１は、図１または図２に示すように、外装を構成する外装筐体２を備える。
【００２０】
外装筐体２は、プロジェクタ１の装置本体を収納する。この外装筐体２は、図１または図２に示すように、上方側に位置する天面部２Ａと、下方側に位置し天面部２Ａに対向する底面部２Ｂと、天面部２Ａおよび底面部２Ｂを接続する側面部２Ｃ〜２Ｆとを備え、略直方体状に形成されている。
天面部２Ａは、図１または図２に示すように、平坦状に形成されている。
この天面部２Ａにおいて、背面側の左右方向略中央部分には、画像光を通過可能とするカバー取付部４が形成されている。
また、天面部２Ａにおいて、カバー取付部４の裏面には、カバー取付部４における画像光を通過させる光束通過用開口部４２１（図２）を閉塞する透光性部材５（図２）が取り付けられている。
さらに、天面部２Ａにおいて、カバー取付部４には、前後方向に移動し、透光性部材５を覆う閉塞位置、および透光性部材５を開放する非閉塞位置に位置付けられる保護カバー６が取り付けられている。
なお、カバー取付部４、透光性部材５、および保護カバー６の詳細な構成については、後述する。
【００２１】
〔内部構成〕
図３は、外装筐体２内部に収容される光学ユニット３を前面上方側から見た斜視図である。
外装筐体２内部には、図３に示す光学ユニット３が収容されている。
なお、具体的な図示は省略したが、外装筐体２内において、光学ユニット３以外の空間には、プロジェクタ１内部を冷却する冷却ファン等を備えた冷却ユニット、プロジェクタ１の各構成部材に電力を供給する電源ユニット、プロジェクタ１の各構成部材の動作を制御する制御装置等が配置されるものとする。
【００２２】
図４は、光学ユニット３の光学系を背面上方側から見た斜視図である。
光学ユニット３は、前記制御装置による制御の下、光源から射出された光束を光学的に処理して画像信号に対応したカラー画像を形成し、前面上方側に向けて拡大投射する。この光学ユニット３は、図４に示すように、光源装置３１と、照明光学装置３２と、色分離光学装置３３と、光学装置３４と、投射光学装置３５と、これら各部材３１〜３５を内部に収納する光学部品用筐体３６（図３）とを備える。
【００２３】
光源装置３１は、図４に示すように、光源ランプ３１１、リフレクタ３１２、平行化レンズ３１３、およびＵＶ−ＩＲフィルタ３１４等を備える。光源ランプ３１１から射出された光束は、リフレクタ３１２によって射出方向が揃えられ、平行化レンズ３１３によって略平行化された後、ＵＶ−ＩＲフィルタ３１４を介して照明光学装置３２に向けて射出される。なお、ＵＶ−ＩＲフィルタ３１４は、紫外領域および赤外領域の光束を吸収または反射し、その他の光束を透過するものである。
【００２４】
照明光学装置３２は、図４に示すように、第１レンズアレイ３２１、第２レンズアレイ３２２、偏光変換素子３２３、および重畳レンズ３２４等を備える。そして、光源装置３１から射出された光束は、第１レンズアレイ３２１によって複数の部分光束に分割され、第２レンズアレイ３２２の近傍で結像する。第２レンズアレイ３２２から射出された各部分光束は、その中心軸（主光線）が偏光変換素子３２３の入射側端面に垂直となるように入射し、偏光変換素子３２３にて略１種類の直線偏光光として射出される。偏光変換素子３２３から直線偏光光として射出され、重畳レンズ３２４を介した複数の部分光束は、光学装置３４の後述する３枚の反射型液晶パネル３４２上で重畳する。
【００２５】
色分離光学装置３３は、図４に示すように、青色光を反射するＢ光反射ダイクロイックミラー３３１Ａおよび緑色光、赤色光を反射するＧＲ光反射ダイクロイックミラー３３１ＢがＸ字状に配置されたクロスダイクロイックミラー３３１、緑色光を反射するＧ光反射ダイクロイックミラー３３２、および２枚の反射ミラー３３３，３３４を備える。そして、色分離光学装置３３は、照明光学装置３２から射出された複数の部分光束を赤、緑、青の３色の色光に分離する。
具体的に、照明光学装置３２から射出された複数の部分光束は、クロスダイクロイックミラー３３１に入射し、青色光成分がＢ光反射ダイクロイックミラー３３１Ａにて反射し、緑色光成分と赤色光成分とがＧＲ光反射ダイクロイックミラー３３１Ｂにて反射し、青色光成分と緑色光成分および赤色光成分とに分離される。
クロスダイクロイックミラー３３１にて分離された青色光は、反射ミラー３３３で反射し、光学装置３４を構成する後述するワイヤグリッド３４１Ｂに入射する。
また、クロスダイクロイックミラー３３１にて分離された緑色光および赤色光は、反射ミラー３３４で反射した後、Ｇ光反射ダイクロイックミラー３３２に入射する。Ｇ光反射ダイクロイックミラー３３２に入射した緑色光および赤色光のうちで、緑色光は、Ｇ光反射ダイクロイックミラー３３２によって反射し、光学装置３４を構成する後述するワイヤグリッド３４１Ｇに入射する。一方、赤色光は、Ｇ光反射ダイクロイックミラー３３２を透過して、光学装置３４を構成する後述するワイヤグリッド３４１Ｒに入射する。
【００２６】
光学装置３４は、入射した光束を画像情報に応じて変調して画像光（カラー画像）を形成するものである。この光学装置３４は、図４に示すように、３つのワイヤグリッド３４１（赤色光側のワイヤグリッドを３４１Ｒ、緑色光側のワイヤグリッドを３４１Ｇ、青色光側のワイヤグリッドを３４１Ｂとする）と、光変調装置としての３つの反射型液晶パネル３４２（ワイヤグリッド３４１と同様に、各色光側の反射型液晶パネルを３４２Ｒ，３４２Ｇ，３４２Ｂとする）と、３つの偏光板３４３と、色合成光学装置としてのクロスダイクロイックプリズム３４４とを備える。
【００２７】
３つのワイヤグリッド３４１は、格子構造に基づく回折により入射した光束を偏光分離する。各ワイヤグリッド３４１は、入射光束の光軸に対して略４５°傾斜した状態で配置される。そして、各ワイヤグリッド３４１は、入射した光束のうち、偏光変換素子３２３で揃えられた偏光方向と略同一の偏光方向の直線偏光光を透過させ、前記偏光方向に直交する偏光方向の直線偏光光を反射させ、入射した光束を偏光分離する。
【００２８】
３つの反射型液晶パネル３４２は、シリコン基板上に液晶が形成されたいわゆるＬＣＯＳ(Liquid Crystal On Silicon)で構成されている。各反射型液晶パネル３４２は、各ワイヤグリッド３４１を透過した光束の光軸に対して略直交した状態でそれぞれ配置される。そして、反射型液晶パネル３４２は、前記制御装置からの駆動信号に応じて、前記液晶の配向状態が制御され、ワイヤグリッド３４１を透過した偏光光束の偏光方向を変調し、ワイヤグリッド３４１に向けて反射する。反射型液晶パネル３４２にて変調され、ワイヤグリッド３４１に向けて反射された光束は、偏光変換素子３２３で揃えられた偏光方向に直交する偏光方向の直線偏光光がワイヤグリッド３４１にて反射される。
【００２９】
３つの偏光板３４３は、クロスダイクロイックプリズム３４４の各光束入射側端面にそれぞれ対向して配設され、各ワイヤグリッド３４１にて反射された偏光方向と同一方向の偏光方向の直線偏光光を透過させる。すなわち、ワイヤグリッド３４１および偏光板３４３の双方を用いることで、ワイヤグリッド３４１にて所望の直線偏光光以外の偏光成分が反射された場合であっても、偏光板３４３にて前記偏光成分を除去する構成を採用している。
【００３０】
クロスダイクロイックプリズム３４４は、各光束入射側端面から入射した各色光を合成してカラー画像を形成する。このクロスダイクロイックプリズム３４４は、４つの直角プリズムを貼り合せた平面視略正方形状をなし、直角プリズム同士を貼り合せた界面には、２つの誘電体多層膜が形成されている。これら誘電体多層膜は、ワイヤグリッド３４１Ｇにて反射され偏光板３４３を介した緑色光を透過し、各ワイヤグリッド３４１Ｒ，３４１Ｂにて反射され各偏光板３４３を介した赤、青色光をそれぞれ反射する。このようにして、各色光が合成されてカラー画像が形成される。
【００３１】
投射光学装置３５は、光学装置３４にて形成されたカラー画像を、光学部品用筐体３６に形成された開口部３６１（図３）、および光束通過用開口部４２１を介して、短焦点で広角に投射するものであり、図４に示すように、複数のレンズ３５１と、３つの反射ミラー３５２〜３５４と、非球面ミラー３５５とを備える。
非球面ミラー３５５は、回転対称でない自由曲面形状の反射面３５５Ａを有する。そして、非球面ミラー３５５は、投射光学装置３５における光路最後段において、反射面３５５Ａが前面上方側に向くように配設され、複数のレンズ３５１、および各反射ミラー３５２〜３５４にて前面側から背面側に導かれたカラー画像を前面上方側に反射して広角化する。
上述した投射光学装置３５を採用することで、スクリーン（図示略）に近い位置にプロジェクタ１を配置することを可能とし、プロジェクタ１の設置の自由度を向上させている。すなわち、プロジェクタ１は、スクリーンが設けられる壁面に密着させて配置できる。壁面に密着させてプロジェクタ１を配置できるため、スクリーンから観察者の方向へ進行する光がプロジェクタ１によって遮られる事態を確実に回避可能とし、快適な映像観賞を行うことができる。
【００３２】
〔カバー取付部の詳細な構成〕
図５および図６は、カバー取付部４の構成を説明するための図である。具体的に、図５はカバー取付部４を背面側から見た斜視図であり、図６は、カバー取付部４を前面側から見た斜視図である。図５（Ａ）、図６（Ａ）は保護カバー６が閉塞位置に位置付けられた状態を示した図であり、図５（Ｂ）、図６（Ｂ）は保護カバー６が非閉塞位置に位置付けられた状態を示した図である。
図７は、カバー取付部４と非球面ミラー３５５との位置関係を側方から見た断面図である。なお、図７は、保護カバー６が開かれた状態を示している。
カバー取付部４は、図５ないし図７に示すように、膨出面部４１と、傾斜面部４２と、側面接続部４３，４４と、背面接続部４５とを備える。
膨出面部４１は、天面部２Ａにおけるカバー取付部４を除く他の部位２１に平行する平坦状に形成され、略矩形板体形状を有する。そして、膨出面部４１は、傾斜面部４２、および各接続部４３〜４５により、他の部位２１よりも高さ位置が高くなるように設けられている。
【００３３】
傾斜面部４２は、背面側から前面側に向けて高さ位置が低くなるように傾斜し、膨出面部４１における前面側端部、および他の部位２１を接続する。また、傾斜面部４２は、平坦状に形成され、略矩形板体形状を有する。
この傾斜面部４２において、略中央部分には、表裏を貫通し、非球面ミラー３５５にて反射された画像光を通過可能とする光束通過用開口部４２１が形成されている。
この光束通過用開口部４２１は、略矩形形状を有し、図７に示すように、外装筐体２内部に配設される非球面ミラー３５５よりも前面側に位置する。そして、この光束通過用開口部４２１は、非球面ミラー３５５にて反射された画像光が干渉しないように背面側の端縁が背面側に拡がるように円弧形状を有している（図６（Ｂ）参照）。
【００３４】
側面接続部４３，４４は、膨出面部４１および傾斜面部４２における前後方向（保護カバー６の移動方向）に沿う端部から垂下し、他の部位２１に接続する。
ここで、他の部位２１には、カバー取付部４における前後方向に沿う端部側に位置し、内部に向けて窪み、前後方向に沿って延びる凹条部２１Ａ，２１Ｂが形成されている（図５、図６、図９、図１０参照）。
そして、側面接続部４３，４４は、凹条部２１Ａ，２１Ｂの底部分にそれぞれ接続する。すなわち、側面接続部４３，４４は、凹条部２１Ａ，２１Ｂの側壁部分をそれぞれ構成する。
以上説明した側面接続部４３，４４は、保護カバー６と係合する。
なお、側面接続部４３，４４と保護カバー６との係合構造については、後述する。
背面接続部４５は、膨出面部４１における背面側端部、および他の部位２１を接続する。
【００３５】
〔透光性部材の詳細な構成〕
透光性部材５は、ガラス等の透光性を有する材料で構成されている。
そして、透光性部材５は、図７に示すように、光束通過用開口部４２１を閉塞するように、傾斜面部４２の裏面に密着した状態で配設されている。
すなわち、透光性部材５は、背面側から前面側に向けて高さ位置が低くなるように傾斜して配設されている。
【００３６】
〔保護カバーの詳細な構成〕
図８は、保護カバー６を背面下方側から見た斜視図である。
保護カバー６は、プロジェクタ１の非使用時には、図５（Ａ）または図６（Ａ）に示すように、前面側の閉塞位置に移動されて、透光性部材５を覆い光束通過用開口部４２１を閉塞する。また、保護カバー６は、プロジェクタ１の使用時には、図５（Ｂ）または図６（Ｂ）に示すように、背面側の非閉塞位置に移動されて、透光性部材５を露出し光束通過用開口部４２１を開放する。
この保護カバー６は、図８に示すように、カバー本体６１と、起立片６２，６３とを備える。
【００３７】
カバー本体６１は、傾斜面部４２よりも外形形状の大きい略矩形板体形状を有する。そして、カバー本体６１は、前面側の矩形部位６１Ａと、背面側の矩形部位６１Ｂとが所定角度（鈍角）を有するように屈曲形成されている。
具体的に、カバー本体６１は、保護カバー６が閉塞位置に位置付けられた状態で、矩形部位６１Ａが傾斜面部４２に平行し、矩形部位６１Ｂが膨出面部４１に平行する（図１１（Ａ）参照）。
【００３８】
起立片６２，６３は、カバー本体６１における前後方向（保護カバー６の移動方向）に沿う端部から垂下し、略矩形形状を有する。そして、起立片６２，６３は、保護カバー６がカバー取付部４に取り付けられた状態で、先端部分が凹条部２１Ａ，２１Ｂに挿通され、側面接続部４３，４４に当接する。
この起立片６２，６３において、対向する内面の先端側には、他の起立片に向けて突出し、側面接続部４３，４４に係合する第１係合ピン６２１，６３１および第２係合ピン６２２，６３２が形成されている。
【００３９】
具体的に、第１係合ピン６２１，６３１は、起立片６２，６３における内面の前面側角隅部分に形成されている。また、第２係合ピン６２２，６３２は、起立片６２，６３における内面の背面側角隅部分に形成されている。これら第１係合ピン６２１，６３１および第２係合ピン６２２，６３２は、カバー本体６１における背面側の矩形部位６１Ｂを通る平面に対する離間寸法が略同一に設定されている（図１１参照）。また、第１係合ピン６２１，６３１は、第２係合ピン６２２，６３２よりも突出する高さ寸法が大きく設定されている。
【００４０】
〔カバー取付部と保護カバーとの係合構造〕
図９および図１０は、カバー取付部４と保護カバー６との係合構造を示す図である。具体的に、図９は保護カバー６が閉塞位置に位置付けられた状態を前面下方側から見た斜視図であり、図１０は保護カバー６が非閉塞位置に位置付けられた状態を前面下方側から見た斜視図である。
なお、以下では、側面接続部４３，４４の詳細な構造を説明するが、側面接続部４３，４４は同様の構造を有しているため、側面接続部４３の構造のみを説明し、側面接続部４４については側面接続部４３と同一の構成に同一の符号を付して説明を省略する。
【００４１】
側面接続部４３には、図９または図１０に示すように、第１係合ピン６２１および第２係合ピン６２２をそれぞれ挿通して保護カバー６の移動を案内する第１長孔４３１および第２長孔４３２が形成されている。
第１長孔４３１は、外装筐体２内部に連通し、傾斜面部４２に平行して前後方向に延びる直線状に形成されている。すなわち、第１長孔４３１は、前面側の終端４３１Ａの高さ位置が背面側の終端４３１Ｂの高さ位置よりも低く設定されている。
第２長孔４３２は、外装筐体２内部に連通し、膨出面部４１に平行して前後方向に延びる直線状に形成されている。すなわち、第２長孔４３２は、前面側の終端４３２Ａの高さ位置と背面側の終端４３２Ｂの高さ位置とが同一に設定されている。
また、第１長孔４３１の終端４３１Ａと、第２長孔４３２の終端４３２Ａ，４３２Ｂとは、高さ位置が同一に設定されている。
【００４２】
また、側面接続部４３において、第２長孔４３２の各終端４３２Ａ，４３２Ｂの上方側には、図９または図１０に示すように、外装筐体２内部に連通し、第２長孔４３２に平行して延びるとともに各終端４３２Ａ，４３２Ｂに連通する付勢用孔４３３Ａ，４３３Ｂが形成されている。
そして、第２長孔４３２と付勢用孔４３３Ａ，４３３Ｂとで挟まれた部位４３４，４３５は、基端部分が屈曲可能とし所定の弾性を有する。
また、各部位４３４，４３５における先端部分の下方側には、第２長孔４３２に向けて膨出し、第２係合ピン６３２の移動時に機械的に干渉する規制用突起４３４Ａ，４３５Ａが形成されている。
【００４３】
さらに、側面接続部４３には、図９または図１０に示すように、上端部から下方側に延び、外装筐体２内部に連通するとともに、第１長孔４３１の終端４３１Ａに連通する第１取付用孔４３６が形成されている。
また、側面接続部４３には、図９または図１０に示すように、上端部から下方側に延び、第１長孔４３１に連通するとともに、第２長孔４３２の終端４３２Ａに連通する第２取付用孔４３７が形成されている。
【００４４】
すなわち、カバー取付部４に保護カバー６を取り付ける際には、第１係合ピン６３１および第２係合ピン６３２を第１取付用孔４３６および第２取付用孔４３７にそれぞれ合わせ、下方側に保護カバー６を移動させることで、第１係合ピン６３１を第１長孔４３１に挿通させ、第２係合ピン６３２を第２長孔４３２に挿通させることができる。
ここで、第２取付用孔４３７は、側面接続部４３における凹条部２１Ａ側が切り欠かれた溝形状を有し、その深さ寸法は、第２係合ピン６３２の突出する高さ寸法と略同一に設定されている。そして、上述したように、第１係合ピン６３１は、第２係合ピン６３２よりも突出する高さ寸法が大きく設定されているため、保護カバー６の移動時において、第１係合ピン６３１が第２取付用孔４３７を介して上方側に逃げ、保護カバー６が外れることはない。
【００４５】
〔保護カバーの動作〕
図１１は、保護カバー６の動作を説明するための図である。具体的に、図１１（Ａ）〜図１１（Ｃ）は、保護カバー６が閉塞位置（図１１（Ａ））から非閉塞位置（図１１（Ｃ））に移動する際の動作を側方から見た断面図である。
次に、保護カバー６が閉塞位置に位置付けられた状態から、非閉塞位置に位置付けられるまでの動作を説明する。
保護カバー６が閉塞位置に位置付けられた状態では、図１１（Ａ）に示すように、第１係合ピン６３１および第２係合ピン６３２は、第１長孔４３１の終端４３１Ａ、および第２長孔４３２の終端４３２Ａに位置する。
ここで、第２係合ピン６３２は、部位４３４の規制用突起４３４Ａの前面側に当接し、部位４３４の弾性力により前面側に付勢された状態となっている。したがって、部位４３４により、保護カバー６は、背面側への移動が規制された状態となっている。
すなわち、部位４３４は、第２係合ピン６３２が終端４３２Ａに位置した際に、第２係合ピン６３２を前面側に付勢して第２係合ピン６３２の背面側への移動を規制する本発明に係る第１付勢部として機能する。
【００４６】
第１付勢部４３４による付勢力に抗して、保護カバー６に対して背面側に所定の力を加えると、第２係合ピン６３２により規制用突起４３４Ａが押圧され第１付勢部４３４の先端が上方側に引き上げられる。そして、第２係合ピン６３２が規制用突起４３４Ａの背面側に位置すると、第１付勢部４３４による付勢が解除される。
ここで、保護カバー６は、図１１（Ｂ）に示すように、第１係合ピン６３１が第１長孔４３１に沿って案内されることで、前面側が徐々に上方側に引き上げられつつ、背面側に移動する。
【００４７】
そして、保護カバー６が背面側に移動し図１１（Ｃ）に示す非閉塞位置に位置付けられる際、すなわち、第１係合ピン６３１および第２係合ピン６３２が第１長孔４３１の終端４３１Ｂ、および第２長孔４３２の終端４３２Ｂに位置付けられる際には、上記同様に、第２係合ピン６３２により規制用突起４３５Ａが押圧され部位４３５が上方側に引き上げられる。そして、第２係合ピン６３２が規制用突起４３５Ａの背面側に位置すると、部位４３５の弾性力により規制用突起４３５Ａを介して第２係合ピン６３２が背面側に付勢された状態となる。したがって、部位４３５により、保護カバー６は、前面側への移動が規制された状態となる。
すなわち、部位４３５は、第２係合ピン６３２が終端４３２Ｂに位置した際に、第２係合ピン６３２を背面側に付勢して第２係合ピン６３２の前面側への移動を規制する本発明に係る第２付勢部として機能する。
以上、保護カバー６が閉塞位置から非閉塞位置に位置付けられるまでの動作を説明したが、非閉塞位置から閉塞位置に位置付けられるまでの動作は、上述した動作と逆の動作を実施するものである。
【００４８】
上述した実施形態においては、以下の効果がある。
本実施形態では、外装筐体２における天面部２Ａには、透光性部材５が取り付けられているので、光束通過用開口部４２１を介して非球面ミラー３５５にて反射された画像光を通過させつつ、光束通過用開口部４２１を透光性部材５にて閉塞できる。このため、非球面ミラー３５５への塵埃の付着、汚れ、あるいは、衝撃を回避でき、投影画像を鮮明な状態で良好に維持できる。
また、天面部２Ａには、保護カバー６が取り付けられているので、プロジェクタ１の非使用時には、保護カバー６を非閉塞位置に位置付けることで、透光性部材５を保護カバー６にて覆うことができる。すなわち、保護カバー６により、透光性部材５への塵埃の付着、汚れ、あるいは、衝撃を回避できるため、透光性部材５による非球面ミラー３５５の保護とともに、投影画像を鮮明な状態で良好に維持できる。
【００４９】
また、透光性部材５が上述したように傾斜して配設されているので、透光性部材５を水平面に平行となるように配設した場合と比較して、透光性部材５への画像光の入射角を小さくでき、透光性部材５での屈折の影響を抑制できる。このため、投影画像の歪みや画質劣化を抑制し、投影画像を鮮明な状態で良好に維持できる。
【００５０】
さらに、カバー取付部４を構成する傾斜面部４２は、上述したように傾斜しているとともに、光束通過用開口部４２１が形成されている。このことにより、透光性部材５を傾斜面部４２に当接するだけで、透光性部材５を傾斜して配設でき、透光性部材５の設置を容易とする。
また、光束通過用開口部４２１は、傾斜面部４２に形成されているので、開口面が水平面に対して非球面ミラー３５５の反射面３５５Ａに対向するように傾斜することとなる。このため、光束通過用開口部４２１が水平面に沿うように形成した場合と比較して、非球面ミラー３５５側から見た際での光束通過用開口部４２１の見かけ上の開口面積を大きくすることができる。したがって、非球面ミラー３５５にて反射された画像光を通過させるために光束通過用開口部４２１を必要以上に大きく形成する必要がなく、プロジェクタ１の外観を好ましいものとすることができる。
さらに、保護カバー６に係合する側面接続部４３，４４がが膨出面部４１および傾斜面部４２における前後方向に沿う端部から垂下するように形成されているので、側面接続部４３，４４を光束通過用開口部４２１の開口面よりも下方側に位置付けることができる。このため、非球面ミラー３５５にて反射され光束通過用開口部４２１を介して投射された画像光が側面接続部４３，４４にて遮られることを防止でき、投影画像を良好に維持できる。
【００５１】
さらに、第１係合ピン６２１，６３１に係合する第１長孔４３１は、前面側の終端４３１Ａの高さ位置が背面側の終端４３１Ｂの高さ位置よりも低く設定されている。このことにより、保護カバー６は、閉塞位置から非閉塞位置に移動する際、第１長孔４３１により第１係合ピン６２１，６３１が案内され、前面側の端部が徐々に引き上げられつつ、移動することとなる。このため、保護カバー６の移動時において、前面側の端部が膨出面部４１に機械的に干渉することを防止し、保護カバー６を簡単な構成で良好に移動させることができる。
【００５２】
また、第２係合ピン６２２，６３２に係合する第２長孔４３２は、前面側と背面側の各終端４３２Ａ，４３２Ｂの高さ位置が同一に設定されている。このことにより、保護カバー６が閉塞位置および非閉塞位置の双方にそれぞれ位置付けられている状態において、保護カバー６における背面側の端部の高さ位置を同一に設定できる。このため、例えば、保護カバー６を閉塞位置に位置付けた状態で、保護カバー６における背面側の端部と膨出面部４１との隙間が最小となるように設計しておけば、保護カバー６が非閉塞位置に位置付けられた状態でも、保護カバー６における背面側の端部と膨出面部４１との隙間を最小とすることができる。したがって、プロジェクタ１の使用時および非使用時において、保護カバー６における背面側の端部と膨出面部４１との隙間が最小となり、プロジェクタ１の外観を好ましいものとすることができる。
【００５３】
さらに、第１長孔４３１が傾斜面部４２に平行する直線状に形成され、第２長孔４３２が膨出面部４１に平行する直線状に形成されているので、保護カバー６の移動時において、保護カバー６における背面側の端部の高さ位置を常に同一に設定できる。このため、プロジェクタ１の使用時および非使用時のみならず、閉塞位置および非閉塞位置の間に保護カバー６が位置付けられている状態においても、保護カバー６における背面側の端部と膨出面部４１との隙間を最小とすることができ、プロジェクタ１の外観をさらに好ましいものとすることができる。
【００５４】
また、側面接続部４３，４４には第１付勢部４３４および第２付勢部４３５が形成されているので、保護カバー６が勝手に移動することを防止できる。
さらに、各付勢部４３４，４３５に形成された各規制用突起４３４Ａ，４３５Ａと第２係合ピン６３２との機械的な干渉により、第２係合ピン６３２を付勢する構成を採用したので、保護カバー６を閉塞位置または非閉塞位置に移動させた際に、各付勢部４３４，４３５により保護カバー６に微小な振動を与えることができる。すなわち、利用者に保護カバー６の移動状態を認識させることができ、保護カバー６を閉塞位置または非閉塞位置に確実に移動させることができる。したがって、プロジェクタ１の使い勝手を向上できる。
また、各付勢部４３４，４３５を第２長孔４３２と付勢用孔４３３Ａ，４３３Ｂとで挟まれた部位で構成したので、別途、部材を設けることなく、簡素な構造とすることができる。
【００５５】
さらに、側面接続部４３，４４が天面部２Ａに形成された凹条部２１Ａ，２１Ｂの側壁部分を構成しているので、凹条部２１Ａ，２１Ｂに保護カバー６の起立片６２，６３の先端部分が挿通された状態で、保護カバー６と側面接続部４３，４４とが係合する構造を実現できる。すなわち、各係合ピン６２１，６２２，６３１，６３２と各長孔４３１，４３２が外から見えない状態とすることができ、プロジェクタ１の外観を良好なものとすることができる。
【００５６】
また、保護カバー６を構成するカバー本体６１は、膨出面部４１および傾斜面部４２に倣うように屈曲形成されているこのことにより、保護カバー６の移動時において、保護カバー６の裏面が膨出面部４１に機械的に干渉することを防止し、保護カバー６を良好に移動させることができる。
さらに、保護カバー６を閉塞位置に位置付けた状態において、前面側の矩形部位６１Ａを傾斜面部４２に平行するように形成し、背面側の矩形部位６１Ｂを膨出面部４１に平行するように形成しておけば、プロジェクタ１の非使用時において、保護カバー６がカバー取付部４の形状に倣った形状となり、プロジェクタ１の外観を良好なものとすることができる。
【００５７】
また、上記のように形成するとともに、第１長孔４３１の終端４３１Ｂと第２長孔４３２の終端４３２Ｂとを通る直線が鉛直線を中心として第１長孔４３１と対称関係を有するように設定することで、保護カバー６を非閉塞位置に位置付けた状態において、前面側の矩形部位６１Ａを膨出面部４１に平行した状態に設定することができる。このため、プロジェクタ１の使用時においても、プロジェクタ１の外観を良好なものとすることができる。さらに、この際、背面側の矩形部位６１Ｂは、膨出面部４１に対して傾斜した状態となり、カバー本体６１と膨出面部４１との段差をなくすことで、プロジェクタ１の外観をさらに良好なものとすることができる。
【００５８】
なお、本発明は前述の実施形態に限定されるものではなく、本発明の目的を達成できる範囲での変形、改良等は本発明に含まれるものである。
前記実施形態において、プロジェクタ１は、机等の設置面に設置して使用してもよく、あるいは、天井等に吊り下げる（天面部２Ａが下方側に位置する）状態で設置して使用しても構わない。
前記実施形態では、保護カバー６を手で移動させる構成を採用していたが、これに限らず、例えば、モータ等を用いて、保護カバー６を自動的に移動させる構成を採用しても構わない。
【００５９】
前記実施形態では、各長孔４３１，４３２は、直線状に形成されていたが、これに限らず、円弧状に形成しても構わない。
前記実施形態では、各付勢部４３４，４３５は、第２長孔４３２側にのみ設けられ第２係合ピン６２２，６３２を付勢する構成としていたが、これに限らず、第１長孔４３１側にのみ設け第１係合ピン６２１，６３１を付勢する構成としてもよく、各長孔４３１，４３２側の双方に設け第１係合ピン６２１，６３１および第２係合ピン６２２，６３２の双方を付勢する構成としても構わない。
【００６０】
前記実施形態において、保護カバー６は、起立片６２，６３の内面側にてカバー取付部４に係合していたが、これに限らず、起立片６２，６３の外面側にてカバー取付部４（凹条部２１Ａ，２１Ｂ）に係合する構成としても構わない。
前記実施形態において、側面接続部４３，４４は、凹条部２１Ａ，２１Ｂの側壁部分を構成していたが、これに限らず、凹条部２１Ａ，２１Ｂを省略し、側面接続部４３，４４を他の部位２１に直接、接続した構成を採用しても構わない。
前記実施形態において、カバー本体６１は屈曲形成されていたが、平板状に形成しても構わない。
【００６１】
前記実施形態において、プロジェクタ１の構成は、前記実施形態で説明した構成に限らない。
例えば、光源装置３１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、光変調装置として反射型液晶パネル３４２を採用していたが、これに限らず、透過型液晶パネルや、マイクロミラーを用いたデバイス等、液晶以外の光変調装置を用いても構わない。
さらに、光変調装置の数は、３つに限らず、１つでも、２つでも、あるいは、４つ以上としても構わない。
【産業上の利用可能性】
【００６２】
本発明のプロジェクタは、投影画像を鮮明な状態で良好に維持できるため、プレゼンテーションやホームシアタ等に用いられるプロジェクタに利用できる。
【図面の簡単な説明】
【００６３】
【図１】本実施形態におけるプロジェクタの概略構成を模式的に示す図。
【図２】前記実施形態におけるプロジェクタの概略構成を模式的に示す図。
【図３】前記実施形態における外装筐体内部に収容される光学ユニットを前面上方側から見た斜視図。
【図４】前記実施形態における光学ユニットの光学系を背面上方側から見た斜視図。
【図５】前記実施形態におけるカバー取付部の構成を説明するための図。
【図６】前記実施形態におけるカバー取付部の構成を説明するための図。
【図７】前記実施形態におけるカバー取付部と非球面ミラーとの位置関係を側方から見た断面図。
【図８】前記実施形態における保護カバーを背面下方側から見た斜視図。
【図９】前記実施形態におけるカバー取付部と保護カバーとの係合構造を示す図。
【図１０】前記実施形態におけるカバー取付部と保護カバーとの係合構造を示す図。
【図１１】前記実施形態における保護カバーの動作を説明するための図。
【符号の説明】
【００６４】
１・・・プロジェクタ、２・・・外装筐体、２Ａ・・・天面部、４・・・カバー取付部、５・・・透光性部材、６・・・保護カバー、２１・・・他の部位、２１Ａ，２１Ｂ・・・凹条部、３１・・・光源装置、３５・・・投射光学装置、４１・・・膨出面部、４２・・・傾斜面部、４３，４４・・・側面接続部（接続部）、６１・・・カバー本体、６２，６３・・・起立片、３４２・・・反射型液晶パネル（光変調装置）、３５５・・・非球面ミラー、４２１・・・光束通過用開口部、４３１・・・第１長孔、４３１Ａ，４３１Ｂ，４３２Ａ，４３２Ｂ・・・終端、４３２・・・第２長孔、４３４・・・第１付勢部、４３５・・・第２付勢部、６２１，６３１・・・第１係合ピン、６２２，６３２・・・第２係合ピン。
【図１】
0004557051.tif 000002
【図２】
0004557051.tif 000003
【図３】
0004557051.tif 000004
【図４】
0004557051.tif 000005
【図５】
0004557051.tif 000006
【図６】
0004557051.tif 000007
【図７】
0004557051.tif 000008
【図８】
0004557051.tif 000009
【図９】
0004557051.tif 000010
【図１０】
0004557051.tif 000011
【図１１】
0004557051.tif 000012